(57)【特許請求の範囲】
【請求項１】
キャリアとトナーとを有する現像剤を収容するとともに、像担持体上に形成された潜像を前記現像剤のトナーで現像する現像装置であって、
前記像担持体に対向するとともに周囲に複数の磁極が形成された現像剤担持体と、
前記現像剤担持体の下方に対向させて配設されて前記現像剤担持体に担持された現像剤の量を規制する現像剤規制部材と、
現像装置内の縦方向で遮蔽されることで構成される空間のうちで、上方に位置して現像剤担持体からの現像剤を回収する空間をなす現像剤回収部と、
前記縦方向下部に位置して現像剤担持体に向けて現像剤を供給する現像剤供給部と、
前記現像剤回収部および現像剤供給部にそれぞれ配置されている第一の現像剤搬送部材および第二の現像剤搬送部材と、
前記第一、第二の現像剤搬送部の長手方向両端部に対応して前記現像剤回収部および現像剤供給部の連通部を有した遮蔽部材とを備え、
前記遮蔽部材には、前記現像剤担持体から離脱した現像剤を前記現像剤回収部に位置する第一の現像剤搬送部材に誘導するガイド部と前記連通部とは別に前記現像剤回収部と現像剤供給部とを連通させる第三の連通部が設けられ、
前記第三の連通部は、前記第一の現像剤搬送部材における長手方向中央と現像剤移動方向において下流側の前記連通部との間に設けられ、
前記ガイド部と前記第三の連通部とは、前記遮蔽部材の前記現像剤担持体に対向する先端から順に該現像剤担持体表面から遠ざかる位置関係により設けられ、前記現像剤回収部は、前記現像剤担持体からの現像剤と、一方の前記連通部を通して前記現像剤供給部から受け渡された現像剤とを、他方の前記連通部と前記第三の連通部とを通して前記現像剤供給部へ受け渡すことを特徴とする現像装置。
【請求項２】
前記第一、第二の搬送部材にはスクリュー部材が用いられ、スクリュー部材同士の回転方向が逆方向とされていることを特徴とする請求項１記載の現像装置。
【請求項３】
前記第三の連通部における開口面積は、前記遮蔽部材における前記第一の現像搬送部材による現像剤移動方向下流側に位置する連通部の開口面積よりも小さくされていることを特徴とする請求項１または２に記載の現像装置。
【請求項４】
前記第三の連通部における開口面積は、前記現像剤回収部での現像剤移動方向下流側に位置する連通部において現像剤担持体からの現像剤の回収ができなくなる嵩高さ分を現像剤供給部に向けて移動させることができる面積とされていることを特徴とする請求項１乃至３のうちの一つに記載の現像装置。
【請求項５】
前記遮蔽部材における前記現像剤担持体に対向する先端部は、前記現像剤担持体に内蔵されている複数の磁極のうちで、互いに反撥する関係の磁極間のほぼ中央に位置決めされていることを特徴とする請求項１乃至４のうちの一つに記載の現像装置。
【請求項６】
前記第三の連通部における現像剤回収部側には、メッシュを配置してあることを特徴とする請求項１乃至５のうちの一つに記載の現像装置。
【請求項７】
前記第三の連通部には、前記現像剤回収部側に異物捕捉部材が設けられていることを特徴とする請求項１乃至６のうちの一つに記載の現像装置。
【請求項８】
前記現像剤に用いられるトナーは、形状系数ＳＦ−１が１００〜１８０の範囲にあり、形状係数ＳＦ−２が１００〜１８０の範囲にあることを特徴とする請求項１乃至７のうちの一つに記載の現像装置。
【請求項９】
像担持体、請求項１乃至８のうちの一つに記載の現像装置および前記像担持体に対する帯電工程を行う帯電装置、前記像担持体から未転写トナーを除去するクリーニング装置が纏めて収容されるケーシングを備えたことを特徴とするプロセスカートリッジ。
【請求項１０】
請求項９記載のプロセスカートリッジを複数備えることを特徴とする画像形成装置。
【発明の詳細な説明】
【技術分野】
【０００１】
本発明は、現像装置、プロセスカートリッジおよび画像形成装置に関し、さらに詳しくは、二成分系現像剤の撹拌搬送機構に関する。
【背景技術】
【０００２】
複写機やプリンタあるいはファクシミリ装置や印刷機などの画像形成装置においては、潜像担持体である感光体上に形成された静電潜像を現像装置により可視像処理し、可視像をシートなどに転写することにより記録出力を得ることができる。
【０００３】
現像に用いられる現像剤には磁性あるいは非磁性トナーのみの一成分系現像剤の他にトナーとキャリアとを混合した二成分系現像剤がある。
二成分系現像剤は、トナーとこれを担持するキャリアとで構成され、攪拌混合時に生起される摩擦帯電作用によりトナーを帯電させて感光体上の静電潜像に対して静電吸着できる状態とされる。
【０００４】
搬送過程において現像剤を攪拌することができる現像装置の構成として、現像剤の搬送に用いられる搬送スクリューを上下方向に設置して現像剤担持体に対する現像剤供給部と現像剤回収部とを縦方向に並べた構成が提案されている（例えば、特許文献１〜３）。
特許文献１には、現像剤供給部が現像剤回収部の下方に位置し、現像剤供給部側には現像剤担持体の下方に現像剤の層厚を規定するドクターブレードを配置した構成が開示されている。
特許文献２，３には、特許文献１に開示された現像剤供給部と現像剤回収部とのは位置関係を縦方向で逆の関係に設定した構成が開示されている。
【０００５】
これらの構成では、現像剤供給部と現像剤回収部とを搬送スクリューの軸方向両側にて連通させる仕切る部材により仕切り、各部で搬送スクリューが回転することにより現像剤が搬送される過程で攪拌できるとともに現像剤供給部から現像剤担持体に向け、そして現像剤担持体から現像剤回収部に至る現像剤が再度現像剤周部から現像剤供給部に移動するという一方向の循環経路が構成されている。
【０００６】
一方、現像剤はトナーが消費されることにより現像剤濃度が低下すると新規トナーが補給されるようになっており、補給されたトナーは現像装置内で搬送スクリューにより攪拌・混合されながら搬送するようになっている。
上述した現像剤供給部では、現像剤を搬送スクリューの軸方向に搬送しながら現像剤担持体に内蔵されている汲み上げ磁極により現像剤が汲み上げられ、現像剤回収部では、現像剤担持体に内蔵されている剤離れ磁極によって現像剤担持体から反撥して離散した現像剤が回収されると搬送スクリューにより搬送されて現像剤供給部との連通部を介して現像剤回収部に現像剤を一方向へ循環されるようになっている。現像剤回収部から現像剤供給部への現像剤の移動はこれら各部の連通部において現像剤の自重落下を利用して行われる。
【０００７】
上述した構成においては、搬送スクリューが縦方向に並設されているので、複数の搬送スクリューを水平方向に並置した構成に比べて現像装置の高さ方向のサイズを小さくできる。また、この構成による利点としては、水平方向に搬送スクリューを並置した構成と違って、現像剤担持体から回収される現像剤がそのまま現像剤供給部に入り込まないので現像剤供給部から供給される現像剤中に現像剤担持体側から回収された異物などの存在が少なく、これにより像担持体への異物付着などにより濃度偏差を小さくできることがある。
【０００８】
また、現像装置に設けられているドクターブレードの位置が現像剤担持体の下方であるので、可視像処理されたトナー像を担持する感光体の転写位置および感光体の回転方向の設定によって次の利点がある。
例えば、感光体のトナー像転写位置が感光体の上方とされ、感光体としてドラムを用いた場合の回転方向が時計方向である場合、ドクターブレードが現像剤担持体の上方に設けられている構成のように、現像剤担持体が層厚規定後ほぼ半周してから感光体に剤担持面を対向させる時間よりも対向するまでの時間を短くすることができる。このようなドクターブレードの配置構成は、複数の作像部を転写部材に対して並列は位置したタンデム方式の画像形成装置においてファーストプリント時間を短くできるという理由から多用されている。
【発明の概要】
【発明が解決しようとする課題】
【０００９】
現像剤回収部では、搬送スクリューの回転により搬送方向上流側から下流側に向けて剤の嵩が増加する。つまり、図１１は、特許文献１に開示されている構成を対象とした図であり、同図において図１１に示すように、回収側搬送空間ＧＲ１に配置されている搬送スクリュー１０１によって攪拌搬送される現像剤は、搬送スクリュー１０１の端部に達すると連通部Ｒ１側に押し寄せられることにより堆積することでさらに嵩が増加する。
【００１０】
現像剤供給部では、図１１に示すように、供給側搬送空間ＧＲ２に配置されている搬送スクリュー１０２による搬送過程において現像ローラに現像剤中のトナーが消費されることにより現像剤が減少し、搬送スクリュー１０２の端部に至るに従い、徐々に減少する。これにより、現像剤の嵩高さは低くなる。
搬送スクリュー１０２の端部に達した現像剤は、連通部Ｒ２を経由して再度、回収側搬送空間ＧＲ１に移行し、ここに現像剤の一方向循環が達成されるようになっている。
【００１１】
このような現像剤の一方向循環に際しては、現像剤の循環が安定して行われることが必要であるが、現像剤回収部において上述したように現像剤の嵩が増加すると、その嵩が増加した位置での現像剤の回収が困難となる虞があり、結果として、現像剤担持体から現像剤の回収が行えず、現像剤担持体がローラなどの回転部材である場合にはその回転に連れ動いた現像剤の一部が現像剤供給部に直接侵入してしまうことがある。
現像剤供給部に対して現像ローラから直接侵入する現像剤は、攪拌帯電が正常に行われた現像剤ではないので、現像ローラに供給された場合に濃度偏差が生じる虞がある。
【００１２】
現像剤の回収効率を上げるには、搬送スクリューの回転速度を上げることが考えられる。しかし、この方法では、嵩が増加した位置での現像剤同士の摩擦熱の発生により現像剤中のトナーの特性劣化を招く虞れがあるばかりでなく、嵩の増加による搬送スクリューへの負荷増加に対応すべく駆動力を増加する必要があることから駆動源での電力消費量の増加が生じるなどの問題がある。
【００１３】
本発明の目的は、上記従来の現像装置、特に搬送スクリューを用いた場合の問題に鑑み、嵩の増加による搬送不良を避ける際に生じる摩擦熱の発生や電力消費量の増加などを招くことなく現像剤の一方向循環を可能にすることができる現像装置を提供することにある。
また本発明の目的は、現像剤供給部への直接的な回収現像剤の侵入を防止して濃度偏差などを防止できる構成を備えた現像装置およびプロセスカートリッジおよび画像形成装置を提供することにある。
【課題を解決するための手段】
【００１４】
前記課題を解決するために、請求項１に記載の発明は、キャリアとトナーとを有する現像剤を収容するとともに、像担持体上に形成された潜像を前記現像剤のトナーで現像する現像装置であって、前記像担持体に対向するとともに周囲に複数の磁極が形成された現像剤担持体と、前記現像剤担持体の下方に対向させて配設されて前記現像剤担持体に担持された現像剤の量を規制する現像剤規制部材と、現像装置内の縦方向で遮蔽されることで構成される空間のうちで、上方に位置して現像剤担持体からの現像剤を回収する空間をなす現像剤回収部と、前記縦方向下部に位置して現像剤担持体に向けて現像剤を供給する現像剤供給部と、前記現像剤回収部および現像剤供給部にそれぞれ配置されている第一の現像剤搬送部材および第二の現像剤搬送部材と、前記第一、第二の現像剤搬送部の長手方向両端部に対応して前記現像剤回収部および現像剤供給部の連通部を有した遮蔽部材とを備え、前記遮蔽部材には、前記現像剤担持体から離脱した現像剤を前記現像剤回収部に位置する第一の現像剤搬送部材に誘導するガイド部と前記連通部とは別に前記現像剤回収部と現像剤供給部とを連通させる第三の連通部が設けられ、前記第三の連通部は、前記第一の現像剤搬送部材における長手方向中央と現像剤移動方向において下流側の前記連通部との間に設けられ、前記ガイド部と前記第三の連通部とは、前記遮蔽部材の前記現像剤担持体に対向する先端から順に該現像剤担持体表面から遠ざかる位置関係により設けられ、前記現像剤回収部は、前記現像剤担持体からの現像剤と、一方の前記連通部を通して前記現像剤供給部から受け渡された現像剤とを、他方の前記連通部と前記第三の連通部とを通して前記現像剤供給部へ受け渡すことを特徴とする。
【００１５】
請求項２に記載の発明は、請求項１記載の現像装置において、前記第一、第二の搬送部材にはスクリュー部材が用いられ、スクリュー部材同士の回転方向が逆方向とされていることを特徴とする。
【００１６】
請求項３に記載の発明は、請求項１または２に記載の現像装置において、前記第三の連通部における開口面積は、前記遮蔽部材における前記第一の現像搬送部材による現像剤移動方向下流側に位置する連通部の開口面積よりも小さくされていることを特徴とする。
【００１７】
請求項４に記載の発明は、請求項１乃至３のうちの一つに記載の現像装置において、前記第三の連通部における開口面積は、前記現像剤回収部での現像剤移動方向下流側に位置する連通部において現像剤担持体からの現像剤の回収ができなくなる嵩高さ分を現像剤供給部に向けて移動させることができる面積とされていることを特徴とする。
【００１８】
請求項５に記載の発明は、請求項１乃至４のうちの一つに記載の現像装置において、
前記遮蔽部材における前記現像剤担持体に対向する先端部は、前記現像剤担持体に内蔵されている複数の磁極のうちで、互いに反撥する関係の磁極間のほぼ中央に位置決めされていることを特徴とする。
【００１９】
請求項６に記載の発明は、請求項１乃至５のうちの一つに記載の現像装置において、前記第三の連通部における現像剤回収部側には、メッシュを配置してあることを特徴とする。
【００２０】
請求項７に記載の発明は、請求項１乃至６のうちの一つに記載の現像装置において、前記第三の連通部には、前記現像剤回収部側に異物捕捉部材が設けられていることを特徴とする。
【００２１】
請求項８に記載の発明は、請求項１乃至７のうちの一つに記載の現像装置のいて、前記現像剤に用いられるトナーは、形状系数ＳＦ−１が１００〜１８０の範囲にあり、形状係数ＳＦ−２が１００〜１８０の範囲にあることを特徴とする。
【００２２】
請求項９に記載の発明は、像担持体、請求項１乃至８のうちの一つに記載の現像装置および前記像担持体に対する帯電工程を行う帯電装置、前記像担持体から未転写トナーを除去するクリーニング装置が纏めて収容されるケーシングを備えたプロセスカートリッジを特徴とする。
【００２３】
請求項１０に記載の発明は、請求項９記載のプロセスカートリッジを複数備える画像形成装置を特徴とする。
【発明の効果】
【００２８】
本発明によれば、現像剤回収部に設けられている第一の搬送部材による現像剤移動方向両側に位置する連通部とは別に、現像剤移動方向中央から下流側の連通部の間に、現像剤供給部と連通する第三の連通部を設けているので、第一の搬送部材による現像剤移動方向下流側での現像剤の嵩が高くなるのを防止することができる。これにより、嵩が高くなった場合に現像剤が回収できなくなるのを防止して現像剤の循環を損ねないようにすることが可能となる。
【００２９】
特に、第三の連通部は、現像剤回収部と現像剤供給部とを遮蔽する遮蔽部材において、回収される現像剤を第一の搬送部材に向けてガイドするガイド部と隣接し、かつ、第一の搬送部材に現像剤が接触し始める時期よりも後の時期に相当する位置に設けられることで回収された現像剤が第一の搬送部材による攪拌が行われた後に現像剤供給部に導入できるので、攪拌時での摩擦帯電低下した現像剤が現像剤供給部に供給されるのを防止することができる。これにより、帯電不足による画像濃度異常の発生を未然に防止することが可能となる。
【図面の簡単な説明】
【００３０】
【図１】本発明による現像装置を備えたプロセスカートリッジが適用される画像形成装置の構成を説明するための模式図である。
【図２】図１に示した作像部をなすプロセスカートリッジの構成を説明するための図である。
【図３】図２に示したプロセスカートリッジに用いられる現像装置の概略構成を説明するための図である。
【図４】図３に示した現像装置の要部を示す斜視図である。
【図５】図３に示した現像装置の平面視および正面視そして現像剤の循環状態を説明するための図である。
【図６】図３に示した現像装置における回収現像剤搬送室および供給現像剤搬送室での現像剤の循環状態を説明するための図である。
【図７】本発明による現像装置の実施例における特徴を説明するための図である。
【図８】図７に示した特徴を用いた場合の現像祭の循環状態を説明するための図である。
【図９】図３に示した構成の要部変形例を説明するための図３相当の図である。
【図１０】図３に示した現像装置に用いられる第三の連通部に関する変形例を説明するための図である。
【図１１】従来の現像装置における現像剤循環状態を説明するための図である。
【発明を実施するための形態】
【００３１】
以下、図面により本発明を実施するための形態について説明する。
図１は、本発明による現像装置が含まれるプロセスカートリッジを備えた画像形成装置の構成を示す模式図である。
【００３２】
図１において、符号１０は画像形成装置としてのタンデム型カラー複写機の装置本体、３２は原稿を搬送する原稿搬送部を備え原稿の画像情報を読み込む原稿読込部、３０は出力画像が積載される排紙トレイ、２６は転写紙等の記録媒体Ｐが収容される給紙部、２７は給紙部に収容される記録媒体Ｐを１枚ずつ給紙する給紙ローラ、２８は記録媒体Ｐの搬送タイミングを調整するレジストローラ対を示している。
また、符号６Ｙ、６Ｍ、６Ｃ、６Ｂｋは、各色（イエロー（Ｙ）、マゼンタ（Ｍ）、シアン（Ｃ）、ブラック（Ｂｋ））の作像部であり、１Ｙ、１Ｍ、１Ｃ、１ＢＫは各色のトナー像が形成される像担持体としての感光体ドラム、５Ｙ、５Ｍ、５Ｃ、５Ｂｋは各感光体ドラム１Ｙ、１Ｍ、１Ｃ、１ＢＫ上に形成される静電潜像を現像する現像装置、９Ｙ、９Ｍ、９Ｃ、９Ｂｋは各感光体ドラム１Ｙ、１Ｍ、１Ｃ、１ＢＫ上に形成されたトナー像を記録媒体Ｐ上に重ねて転写する転写バイアスローラ（１次転写バイアスローラ）を示している。
符号８は複数色のトナー像が重ねて転写される中間転写ベルト８Ａを備えた中間転写ユニット、１９は中間転写ベルト８Ａ上のカラートナー像を記録媒体Ｐ上に転写するための２次転写バイアスローラ、２０は記録媒体Ｐ上の未定着画像を定着する定着装置、３１は各色（イエロー、シアン、マゼンタ、ブラック）のトナー（トナー粒子）を現像装置５Ｙ、５Ｍ、５Ｃ、５Ｂｋに供給する各色のトナーボトル３１Ｙ、３１Ｍ、３１Ｃ、３１ＢＫを収容するボトル収容器を示している。
【００３３】
図１に示すように、中間転写ユニット８の中間転写ベルト８Ａに対向するように、各色（イエロー（Ｙ）、マゼンタ（Ｍ）、シアン（Ｃ）、ブラック（Ｂｋ））に対応した作像部６Ｙ、６Ｍ、６Ｃ、６Ｂｋが並設されている。なお、装置本体１０に設置される４つの作像部６Ｙ、６Ｍ、６Ｃ、６Ｂｋは、作像プロセスに用いられるトナーの色（イエロー（Ｙ）、マゼンタ（Ｍ）、シアン（Ｃ）、ブラック（Ｂｋ））が異なる以外はほぼ同一構造であり、例えば図２に示すような構成となっている。図２においては、作像部６と感光体ドラム１と１次転写バイアスローラ９とにおける符号のアルファベット（Ｙ、Ｍ、Ｃ、Ｋ）を省略して図示している。
【００３４】
図２に示す作像部６は、像担持体としての感光体ドラム１と、感光体ドラム１の周囲に配設された帯電部４、現像部としての現像装置５、クリーニング部２等で構成されている（図１では現像装置５のみ表示）。感光体ドラム１上で、作像プロセス（帯電工程、露光工程、現像工程、転写工程、クリーニング工程）が行われ、感光体ドラム１上に所望のトナー像が形成される。
作像部６を構成する、感光体ドラム１、帯電部４、現像部（現像装置）５、クリーニング部２は、纏めて収容可能なユニットで構成されるプロセスカートリッジに設けられており、プロセスカートリッジは、それぞれ、画像形成装置本体１００に対して着脱自在に設置できるように構成されている。そして、それぞれが、寿命に達したときに、新品のものに交換される。
このように、装置本体１００に着脱自在に設置されるプロセスカートリッジとすることにより、作像部６のメンテナンスを行う際の作業性が向上し、かつ交換も容易となり、リサイクル性が向上する。
【００３５】
以下、図１に示す画像形成装置における、通常のカラー画像形成時の動作について説明する。なお、各色（イエロー（Ｙ）、マゼンタ（Ｍ）、シアン（Ｃ）、ブラック（Ｂｋ））の作像部６Ｙ、６Ｍ、６Ｃ、６Ｂｋにおいて感光体ドラム１Ｙ、１Ｍ、１Ｃ、１ＢＫ上で行なわれる作像プロセスについては、図２も参照して説明する。
【００３６】
まず、原稿は、図示しない原稿搬送部の搬送ローラによって原稿台から搬送されて、原稿読込部３２のコンタクトガラス上に載置される。そして、原稿読込部３２で、コンタクトガラス上に載置された原稿の画像情報が光学的に読み取られる。
より詳しく述べると、図示を省略しているが、原稿読込部３２は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部で色変換処理、色補正処理、空間周波数補正処理等の処理を行ない、イエロー、マゼンタ、シアン、ブラックのカラー画像情報を得る。
【００３７】
そして、イエロー、マゼンタ、シアン、ブラックの各色の画像情報は、例えばレーザ光走査方式の光書込装置からなる露光部（図示省略）に送信される。そして、露光部からは、各色の画像情報に基づいたレーザ光Ｌ（図２）が、それぞれ、対応する感光体ドラム１Ｙ、１Ｍ、１Ｃ、１ＢＫ上に向けて発せられる。
【００３８】
一方、４つの感光体ドラム１Ｙ、１Ｍ、１Ｃ、１ＢＫは、それぞれ、図１の時計回り方向に回転している。そして、まず、感光体ドラム１Ｙ、１Ｍ、１Ｃ、１ＢＫの表面は、帯電部４（図２参照）との対向部で、一様に帯電される（帯電工程）。こうして、感光体ドラム１Ｙ、１Ｍ、１Ｃ、１ＢＫ上には、帯電電位が形成される。
その後、帯電された感光体ドラム１Ｙ、１Ｍ、１Ｃ、１ＢＫ表面は、不図示の露光部から発せられたレーザ光Ｌの照射位置に達して、この位置での露光走査によって静電潜像が形成される（露光工程）。
【００３９】
より具体的には、露光部において、４つの光源から画像信号に対応したレーザ光Ｌが各色に対応してそれぞれ射出される。各レーザ光Ｌは、イエロー、マゼンタ、シアン、ブラックの色成分ごとに別の光路を通過することになる。
イエロー成分に対応したレーザ光Ｌは、紙面左側から１番目の感光体ドラム１Ｙ表面に照射される。このとき、イエロー成分のレーザ光は、高速回転するポリゴンミラーにより、感光体ドラム１Ｙの回転軸方向（主走査方向）に走査される。こうして、帯電部４にて帯電された後の感光体ドラム１Ｙ上には、イエロー成分に対応した静電潜像が形成される。
同様に、マゼンタ成分に対応したレーザ光Ｌは、紙面左から２番目の感光体ドラム１Ｍ表面に照射されて、マゼンタ成分に対応した静電潜像が形成される。シアン成分のレーザ光Ｌは、紙面左から３番目の感光体ドラム１Ｃ表面に照射されて、シアン成分の静電潜像が形成される。ブラック成分のレーザ光Ｌは、紙面左から４番目の感光体ドラム１ＢＫ表面に照射されて、ブラック成分の静電潜像が形成される。
【００４０】
その後、各色の静電潜像が形成された感光体ドラム１Ｙ、１Ｍ、１Ｃ、１ＢＫ表面は、それぞれ、現像部の現像装置５Ｙ、５Ｍ、５Ｃ、５Ｂｋとの対向位置に達する。そして、各現像装置５Ｙ、５Ｍ、５Ｃ、５Ｂｋから感光体ドラム１Ｙ、１Ｍ、１Ｃ、１ＢＫ上に各色のトナーが供給されて、感光体ドラム１Ｙ、１Ｍ、１Ｃ、１ＢＫ上の潜像が現像される（現像工程）。
【００４１】
その後、現像工程後の感光体ドラム１Ｙ、１Ｍ、１Ｃ、１ＢＫ表面は、それぞれ、中間転写ベルト８Ａとの対向部に達する。ここで、それぞれの対向部には、中間転写ベルト８Ａの内周面に当接するように１次転写バイアスローラ９Ｙ、９Ｍ、９Ｃ、９Ｂｋが設置されている。そして、１次転写バイアスローラ９Ｙ、９Ｍ、９Ｃ、９Ｂｋの位置で、中間転写ベルト８Ａ上に、感光体ドラム１Ｙ、１Ｍ、１Ｃ、１ＢＫ上に形成された各色のトナー像が、順次重ねて転写される（１次転写工程）。このとき、感光体ドラム１上には、僅かながら未転写トナーが残存する。
【００４２】
その後、転写工程後の各感光体ドラム１Ｙ、１Ｍ、１Ｃ、１ＢＫ表面は、それぞれ、クリーニング部２（図２参照）との対向位置に達する。そして、クリーニング部２のクリーニングブレード２ａ等で、感光体ドラム１Ｙ、１Ｍ、１Ｃ、１ＢＫ上に残存する未転写トナーが回収される（クリーニング工程）。
その後、感光体ドラム１Ｙ、１Ｍ、１Ｃ、１ＢＫ表面は、不図示の除電部との対向位置に達して、この位置で各感光体ドラム１Ｙ、１Ｍ、１Ｃ、１ＢＫ上の残留電位が除去される。こうして、感光体ドラム１Ｙ、１Ｍ、１Ｃ、１ＢＫにおける一連の作像プロセスが終了する。
【００４３】
なお、上述した作像プロセスは、４つの作像部６Ｙ、６Ｍ、６Ｃ、６ＢＫで、それぞれおこなわれる。すなわち、図１を参照して、作像部の下方に配設された露光部から、画像情報に基いたレーザ光Ｌが、各作像部６Ｙ、６Ｍ、６Ｃ、６ＢＫの感光体ドラム上に向けて照射される。詳しくは、露光部は、光源からレーザ光Ｌを発して、そのレーザ光Ｌを回転駆動されたポリゴンミラーで走査しながら、複数の光学素子を介して感光体ドラム上に照射する。その後、上述した現像工程を経て各感光体ドラム上に形成した各色のトナー像を、中間転写ベルト８上に重ねて転写する。こうして、中間転写ベルト８上にカラー画像が形成される
【００４４】
４つの１次転写バイアスローラ９Ｙ、９Ｍ、９Ｃ、９Ｋは、それぞれ、中間転写ベルト８Ａを感光体ドラム１Ｙ、１Ｍ、１Ｃ、１Ｋとの間に挟み込んで１次転写ニップを形成している。そして、１次転写バイアスローラ９Ｙ、９Ｍ、９Ｃ、９Ｋに、トナーの極性とは逆極性の転写バイアスが印加される。
そして、中間転写ベルト８Ａは、矢印方向に走行して、各１次転写バイアスローラ９Ｙ、９Ｍ、９Ｃ、９Ｋの１次転写ニップを順次通過する。こうして、感光体ドラム１Ｙ、１Ｍ、１Ｃ、１Ｋ上の各色のトナー像が、中間転写ベルト８Ａ上に重ねて１次転写される。
【００４５】
その後、各色のトナー像が重ねて転写された中間転写ベルト８は、２次転写ローラ１９との対向位置に達する。この位置では、２次転写バックアップローラ１２が、２次転写ローラ１９との間に中間転写ベルト８を挟み込んで２次転写ニップを形成している。そして、中間転写ベルト８上に形成されたカラートナー像は、この２次転写ニップの位置に搬送された転写紙等の記録媒体Ｐ上に転写される。このとき、中間転写ベルト８には、記録媒体Ｐに転写されなかった未転写トナーが残存する。
中間転写ベルト上に残存する未転写トナーは、図示せぬベルトクリーニングユニットによって除去されることで初期状態に復帰する。
こうして、中間転写ベルト８上で行われる一連の転写プロセスが終了する。
【００４６】
ここで、２次転写ニップの位置に搬送された記録媒体Ｐは、装置本体１００の下方に配設された給紙部２６から、給紙ローラ２７やレジストローラ対２８等を経由して搬送されたものである。
詳しくは、給紙部２６には、転写紙等の記録媒体Ｐが複数枚重ねて収納されている。そして、給紙ローラ２７が図１中の反時計方向に回転駆動されると、一番上の記録媒体Ｐがレジストローラ対２８のローラ間に向けて給送される。
レジストローラ対２８に搬送された記録媒体Ｐは、回転駆動を停止したレジストローラ対２８のローラニップの位置で一旦停止する。そして、中間転写ベルト８上のカラー画像にタイミングを合わせて、レジストローラ対２８が回転駆動されて、記録媒体Ｐが２次転写ニップに向けて搬送される。こうして、記録媒体Ｐ上に、所望のカラー画像が転写される。
【００４７】
その後、２次転写ニップの位置でカラー画像が転写された記録媒体Ｐは、定着部２０の位置に搬送される。そして、この位置で、定着ローラ及び圧力ローラによる熱と圧力とにより、表面に転写されたカラー画像が記録媒体Ｐ上に定着される。
その後、記録媒体Ｐは、排紙ローラ対２９のローラ間を経て、装置外へと排出される。
排紙ローラ対２９によって装置本体１００外に排出された記録媒体Ｐは、出力画像として、スタック部３０上に順次スタックされる。
こうして、画像形成装置における、一連の画像形成プロセスが完了する。
【００４８】
次に、図２において、作像部における現像装置の構成例について、さらに詳しく説明する。
図２は作像部６に用いられるプロセスカートリッジの概略断面図であり、図１に示す各色の作像部６Ｙ、６Ｍ、６Ｃ、６Ｂｋに着脱可能に装着されるものである。
図２において、現像部（現像装置）５は、現像器（ケーシング）５０と、この現像器５０内に配設され、感光体ドラム１に対向する現像剤担持体としての現像ローラ５１と、現像ローラ５１の下方に設置された現像剤規制部材としてのドクターブレード５２と、現像器５０の縦方向にそれぞれ配置されている空間からなる現像剤回収部および現像剤供給部に相当する回収現像剤搬送室および供給現像剤搬送室５８，５９と、これら各搬送室５８，５９に配設されているスクリュー部材で構成された第一、第二の搬送部材（以下、第一搬送スクリュー、第二搬送スクリューという）５３，５４とを備えている。
回収現像剤搬送室５８，供給現像剤搬送室５９内には、キャリアとトナーとからなる２成分系現像剤が収容されている。
本実施例における現像剤に用いられるトナーは、形状係数ＳＦ−１が１００〜１８０の範囲、形状係数ＳＦ−２が１００〜１８０の範囲にあるものが用いられている。
【００４９】
また、現像器５０の搬送スクリュー５４と対向する位置には、現像剤中のトナー濃度を検知するための、トナー濃度センサ５６が設けられている。
なお、２つの搬送スクリューのうち、第一搬送スクリュー５３は、現像ローラ５１に対向し現像ローラ５１から離脱した現像剤と補給トナーを混合攪拌する回収用搬送部材としての回収スクリュであり、第二搬送スクリュー５４は、現像ローラ５１の略下方に対向配置され現像剤を長手方向に搬送しながら現像ローラ５１に現像剤を供給する供給用搬送部材としての供給スクリューであり、各搬送スクリュー５３，５４は回転方向を逆方向に設定されることで、相対方向に現像剤を移動させて図２を示す紙面と直角な方向に現像剤を循環させる構成とされている。
【００５０】
図３は現像装置における現像剤の供給・回収状態を説明するための概略断面図であり、図４は図３に示す現像装置の斜視図である。
この現像装置の基本的な構成は図２の作像部（プロセスカートリッジ）６に組み込んだものと同様である。
図３に示すように、現像ローラ５１は、内部に固設された複数の磁極を有するマグネットローラ５５や、マグネットローラ５５の周囲を回転する円筒状の現像スリーブ５１ａ等で構成されている。
現像ローラ５１のマグネットローラには、例えばＰ１極〜Ｐ５極の５つの磁極が形成されている。そして、５つの磁極が形成されたマグネットローラ５５の周囲を現像スリーブ５１ａが回転することで、その回転にともない現像剤が現像ローラ５１上（現像スリーブ上である。）を移動することになる。なお、図３の現像ローラ５１のマグネットローラ５５に付した放射状の曲線は、Ｐ１極〜Ｐ５極のそれぞれの磁場（磁力）の領域を示すものである。また、Ｐ１極は現像領域で現像剤の磁気ブラシを形成するための主磁極、Ｐ２極は搬送磁極、Ｐ３極は剤離れプレ極、Ｐ４極は剤離れ磁極、Ｐ５極は汲み上げ極である。
【００５１】
なお、図３では５極の磁極（Ｐ１極〜Ｐ５極）が形成されたマグネットローラとしたが、磁極の数は５極に限らず、４極あるいは６極としてもよい。また、マグネットローラに代えて、複数の固定磁石を配置した構成としてもよい。また、図３に記載したＰ１極〜Ｐ５極の極性（Ｎ極、Ｓ極）は一例であり、Ｎ極とＳ極を逆にしてもよい。
【００５２】
次に、一方向循環現像方式の構成例について説明する。
図３に示す現像装置５は、現像ローラ５１とドクターブレード５２、第一搬送スクリュー５３とそれを収容した回収現像剤搬送室５８、第二搬送スクリュー５４とそれを収容した供給現像剤搬送室５９、これら２つの現像剤搬送室５８、５９の空間同士を遮蔽して分離する遮蔽部材５７から構成されている。
現像装置５の現像器（ケーシング）５０内の各現像剤搬送室５８，５９には、ポリエステル樹脂を主成分とするトナー（粒径５．８μｍ）と磁性微粒子であるキャリア（粒径３５μｍ）を７ｗｔ％に均一混合した現像剤が一定量（例えば３００ｇ）充填されており、並列に配置した第一搬送スクリュー５３，第二搬送スクリュー５４を所定の回転数（例えば６００ｒｐｍ）で回転させることによって補給後のトナー攪拌と搬送を同時に行い、トナーとキャリアの均一混合と帯電付与を行っている。
均一混合された現像剤は現像ローラ５１の現像スリーブ５１ａに近接して平行に設けられた第二搬送スクリュー５４で長手方向に相当する軸方向に沿って攪拌搬送され、現像スリーブ５１ａに内包されたマグローラ５５のＰ４，Ｐ５磁極の磁力によって現像スリーブ外周部の表面に移送される。
現像スリーブ５１ａが図中矢印の通り回転することによって感光体１と現像スリーブ５１ａによって作られる現像領域に現像剤が運ばれ、図示しない高圧電源による現像電界を形成することによってトナーが感光体上の潜像を現像する。
現像後の現像剤は現像スリーブ５１ａの回転に伴って現像器５０内に回収されるようになっており遮蔽部材５７を介して第一搬送スクリュー５３に回収されるようになっている。
【００５３】
図５は、図４において矢印Ａで示す方向の矢視図であり、同図においては、現像容器の城壁が取り除かれて示してある。
図５において、矢印は、現像剤の移動方向を示しており、（Ａ−１）は、現像スリーブ５１ａから回収現像剤搬送室５８内の第一搬送スクリュー５３に向けて現像剤が回収された場合の大地搬送スクリュー５３での現像剤の移動方向が示されている。（Ａー２）は、（Ａ−１）の正面視による図である。
図５（Ｂ）は、回収現像剤搬送室５８および供給現像剤搬送室５９での第一、第二搬送スクリュー５３，５４による現像剤の移動方向を示している。同図において、スクリュー端の領域ａおよびｂでは、上段の回収スクリューと下段の供給スクリューによる攪拌・搬送室が上下に連通しており、a部では上段から下段へ、ｂ部では下段から上段へ現像剤が搬送されるようになっている。連通部におけるスクリューの形状はパドルや逆巻きのスクリューを設けており、搬送方向に対して垂直方向への搬送能力を持たせている。
【００５４】
図６は、図３、図４に示す現像装置の長手方向の現像剤の動きを示す概略断面図である。図６に示す通り、供給現像剤搬送室５９では、第二搬送スクリュー５４により図示した太矢印のように現像剤の搬送を行うが、第二搬送スクリュー５４で搬送される現像剤は現像ローラ５１の磁力により現像スリーブ５１ａ上に汲み上げられる。
現像後の現像剤は現像ローラ５７の現像スリーブ５１ａ上から遮蔽部材５７を介して分離され第一搬送スクリュー５３側の回収現像剤搬送室５８内に送られる。また、２つの現像剤搬送室５８，５９は、現像ローラ５１の現像領域外で遮蔽部材５７の一部を欠如させることで連通しており、第二搬送スクリュー５４で搬送される現像に使用されなかった現像剤は、第二搬送スクリュー５４の搬送方向下流側の連通部から第一搬送スクリュー５３側の回収現像剤搬送室５８に受け渡される。
【００５５】
第一搬送スクリュー５３が配置されている回収現像剤搬送室５８には、図４および図６に示すように、第一搬送スクリュー５３のスクリュー羽根領域外にトナー補給口ＴＩが設けられており、このトナー補給口ＴＩからトナーが補給され、第二搬送スクリュー５４から受け渡された現像剤と混合され、攪拌搬送される。また、第一搬送スクリュー５３で攪拌搬送される現像剤には、現像後に現像ローラ５１から回収した現像剤が混合され、同様に攪拌搬送される。
第一搬送スクリュー５３で攪拌搬送された現像剤は、回収現像剤搬送室５８の搬送方向下流側に位置する連通部で第二搬送スクリュー５４が配置されている供給現像剤搬送室５９に受け渡される。
【００５６】
このように、本発明の現像装置５では、現像剤は第二搬送スクリュー５４と第一搬送スクリュー５３とにより一方向循環搬送され、その搬送過程で、現像ローラ５１への供給、現像ローラ５１からの回収及びトナー補給が行われる。
【００５７】
以上のような構成の現像装置を対象として本発明の特徴を説明すると次の通りである。
図７は、本発明による現像装置の一実施例を説明するための図３相当の図である。
同図に示す構成の特徴は、回収現像剤搬送室５８と供給現像剤搬送室５９とを遮蔽する遮蔽部材５７において、搬送スクリューの現像領域外に設けられている連通部（図５において符号ａ、ｂで示す箇所）とは別に、現像スリーブ５１ａから回収される現像剤を第一の搬送スクリュー５３に向けガイドするガイド部５９Ａに隣接して第三の連通部５９Ｂを設けた点にある。
【００５８】
図７において、遮蔽部材５７は、現像スリーブ５１ａ内に配置されている磁極のうちで、磁力線が反撥関係となる剤離れ磁極Ｐ４と汲み上げ磁極Ｐ５との間のほぼ中央において現像スリーブ５１ａに対向する先端が位置決めされており、その先端側には、現像スリーブ５１ａから離散した現像剤を受け止めて第一搬送スクリュー５３側に向けてガイドするガイド部５９Ａが設けられている。
【００５９】
遮蔽部材５７は、現像スリーブ５１ａから離散した現像剤を回収現像剤搬送室５８の第一搬送スクリュー５３に向けて現像剤の時流落下を利用して誘導できるように、先端に対して第一搬送スクリュー５３のスクリュー羽根に対向する位置が下側となるように傾けられている。
【００６０】
さらに、遮蔽部材５７には、現像剤の回収方向（図中、現像剤循環方向と表示した矢印方向）に沿って上述したガイド部５７Ａに加えて、先端側から現像剤の回収方向に沿って遠ざかる位置に相当させて隣接する位置に貫通孔で構成された第三の連通部５７Ｂが設けられている。
【００６１】
ガイド部５７Ａは、反撥磁極間のほぼ中央に位置することにより現像スリーブ５１ａから離散した現像剤の捕捉性を確保できると共に、第三の連通部５７Ｂは、回収されて攪拌されて現像剤移動方向下流側に移動する現像剤の一部を供給現像剤搬送室５９に流下させる。これにより、現像剤移動方向下流側での嵩増加による現像剤の回収が飽和してしまうのを防いで現像剤の回収を継続できるようになっている。第三の連通部５７Ｂにおける回収現像剤搬送室５８側の開口部には、異物が供給現像剤搬送室５９内に取り込まれるのを防止するためのメッシュ（図示されず）が配置されている。このメッシュの配置により現像剤担持体への異物の付着を防止して画像中に白スジなどの異常画像が発生するのを防止することができる。
第三の連通部５７Ｂは、図８に示すように、第一搬送スクリュー５３の回転による現像剤移動方向において中央から下流側の連通部までの間に設けられている。図８では、現像剤移動方向のほぼ中央部に設けた場合が示されている。
【００６２】
また、第三の連通部５７Ｂは、現像スリーブ５１ａからの現像剤の回収方向（図７中、現像剤循環方向と表示した矢印方向）において、一点鎖線Ｆで示すように、ガイド部５７Ａを移動した現像剤が第一搬送スクリュー５３のスクリュー羽根に接触し始める時期よりも後の時期に現像剤が達する位置に相当させて開口されている。
【００６３】
これにより、現像スリーブ５１ａから回収された現像剤が直接供給現像剤搬送室５９に流れ込むのではなく、第一搬送スクリュー５８のスクリュー羽根に接触できるようにして攪拌された現像剤の一部が供給現像剤搬送室５９に流れ込めるようになっている。この結果、攪拌時の摩擦帯電が行われない現像剤が供給現像剤搬送室５９に流れ込んだ場合に発生するトナーの帯電不足を防止して画像濃度の悪化を防止できるようになっている。
【００６４】
さらに、第三の連通部９Ｂは、その開口面積が次の条件に基づき形成されている。
つまり、第三の連通部５７Ｂの開口面積は、第一搬送スクリュー５８による現像剤移動方向下流側に位置する連通部（図５において符号ｂで示す箇所）の開口面積よりも小さくされている。換言すれば、現像剤移動方向下流側で現像剤の回収ができなくなる嵩高さ分を現像剤移動方向下流側よりも上流側にて供給現像剤搬送室５９に流し込むことができる面積とされている。これにより、現像剤移動方向下流側での濃度偏差が大きくなるのを防止できるようになっている。
【００６５】
以上のような構成においては、現像剤の回収不能および現像剤の供給不足を防止することが可能となる。つまり、本実施例では、第二搬送スクリュー５４により攪拌搬送を行いつつ現像スリーブ５１ａに現像剤供給を行い、第一搬送スクリュー５３にすべて回収する方式を取っているため、図１０に示したように、現像剤の堆積状態が斜めになる（供給スクリュー中の現像剤量が下流方向に従って減少する）。
【００６６】
いまここに、第二搬送スクリュー５４の径、スクリュー羽根のピッチと回転数とから得られる現像剤搬送量能力をＷｍとし、現像スリーブ５１ａ上の現像剤搬送量をＷｓとした場合、これらの関係がＷｍ＞Ｗｓとなる場合に現像剤が一様に現像スリーブ５１ａ上に搬送されるようになる。
この条件が成立しないと第二搬送スクリュー５４による現像剤移動方向下流側において現像剤が不足してしまい現像スリーブ５１への現像剤の供給が不可能となってしまう。
【００６７】
また、同様に現像スリーブ５１から第一搬送スクリュー５３に回収される現像剤は、現像剤移動方向下流側において嵩が高くなることにより、その部分での回収能力が飽和してしまうと、回収されない現像剤が分離板５７と現像スリーブ５１ａの隙間から第二搬送スクリュー５４側へ入り込み、第二搬送スクリュー５４により十分に攪拌されることなく再び現像ニップへ供給されてしまう。
このような現象の発生を防止するには、第一、第二搬送スクリュー５３，５４の回転数を現像スリーブ５１ａ上での現像剤搬送量を上回るように設定する必要があり、必然的にスクリューは高回転に設定になってしまう。
スクリューが高回転となると、現像剤での摩擦熱の発生や駆動負荷の増加などの新たな問題が生じる。
【００６８】
これに対し本実施例では、回収現像剤搬送室５８に配置されている第一搬送スクリュー５３による現像剤移動方向下流側に移行する現像剤の一部を第三の連通部５７Ｂを介して供給現像剤搬送室５９に向け移動させている。これにより、回収現像剤搬送室５８において現像剤移動方向下流側に移動する現像剤量を低減でき、現像剤移動方向下流側で現像剤の嵩が高くなるのを抑えて回収不能となるのを防止できる。
さらに、第三の連通部５７Ｂを介して供給現像剤搬送室５９に移行する現像剤は、第一搬送スクリュー５３のスクリュー羽根に接触することで攪拌された状態で移行するので、摩擦帯電が行われた状態で現像剤を移行させることができる。
しかも、現像剤移動方向下流側での現像剤の嵩増加を抑制できることで回収不能となった場合に生じる、現像剤が現像スリーブ５１ａと連れ回るのを防止して供給される現像剤とのトナー濃度のバラツキも抑えることができる。
【００６９】
本実施例においては、第三の連通部５７Ｂが遮蔽部材５７を自由落下する現像剤のガイド部に隣接して設けられているので、例えば、遮蔽部材に連通部を有した構成が開示されている、特開２００２−１４８９２７号公報（参考文献）の場合と違って、連通部に向け現像剤を強制的に導入する構成などを必要としないで済む。つまり、上記参考文献には、本実施例と現像剤の循環形式が異なってはいるものの、遮蔽部材に設けられている連通部に対して現像剤を持ち上げて導入するために、搬送スクリューの軸方向で連通部に対応する位置の外径を大きくする構成が開示されているが、この構成では、搬送スクリューのスクリュー羽根の面積が小さくなり、その分、搬送量も低減してしまう虞がある。
【００７０】
本実施例では、現像スリーブ５１ａから離散した現像剤がそのままガイド部５７Ａによる誘導された後に第三の連通部５７Ｂに対応するだけで回収現像搬送室５８から供給現像剤搬送室５９に向けて誘導できるので、搬送量の低減や特別な構造を必要としないで済む。
しかも、本実施例では、第三の連通部５７Ｂが搬送スクリューにおけるスクリュー羽根の位置と関係づけて設けられているので、導入される現像剤が供給現像剤搬送室５９に位置する第二搬送スクリュー５４におけるスクリュー羽根５４Ａの存在しない位置に向けて導入できることにより、羽根の回転により導入が阻害されることもなく円滑な導入が可能となる。
また、回収現像剤搬送室５８での現像剤移動方向下流側での嵩の増加を抑制できることで、第一搬送スクリュー５３の回転速度を上げることなく現像剤の一方向循環が行えるので、回転速度を上げた場合に生じる攪拌時での現像剤への摩擦熱の発生による劣化や駆動負荷の増加を防止することが可能となる。
【００７１】
次に本発明の要部変形例について説明する。
図９に示す構成は、第三の連通部を遮蔽部材ではなく、各搬送室５８，５９の底部間に設けたことを特徴としている。
図９において、第三の連通部（便宜上、符号６０で示す）は、回収現像剤搬送室５８および供給現像剤搬送室５９における底部近傍で、それぞれの搬送室５８，５９に配置されている第一、第二搬送スクリュー５３，５４の接線方向に沿った流路で構成されている。
【００７２】
しかも、第三の連通部６０は、便宜上、一実施例の説明に用いた図８において示すように、回収現像剤搬送室５８側の第一搬送スクリュー５３におけるスクリュー羽根５３Ａと対向する位置が流路の一方端とされ、供給現像剤搬送室５９側の第二搬送スクリュー５４におけるスクリュー羽根５４Ａと対向しない位置、つまり、第二搬送スクリュー５４の軸部５４Ａ１に対向する位置が流路の他方端とされている。
【００７３】
この構成により、現像剤が第三の連通部６０を流下する際に、回収現像剤搬送室５８では第一搬送スクリュー５３のスクリュー羽根５３Ａにより押し動かされて導入しやすい状態とされ、供給現像剤搬送室５９では第二搬送スクリュー５４のスクリュー羽根５４Ａと干渉しにくい状態とされて供給現像剤搬送室５９内への導入が容易に行われることになる。
【００７４】
なお、上記実施例に示した第三の連通部の構成、特に、遮蔽部材５７に設けられている第三の連通部５７Ｂの構成としては、図１０（Ａ）に示すように、単なる貫通孔に限らず、例えば、図１０（Ｂ）に示すように、供給現像剤搬送室に導入する際の指向性を持たせる形態としても良い。図１０（Ｂ）に示す形態の場合には、供給現像剤搬送室において現像剤の不足を来す虞のある剤嵩の低い位置に向けた指向性を設定することにより、供給現像剤搬送室での現像剤の嵩を均一化して濃度偏差や剤不足を防止することができる。
【符号の説明】
【００７５】
１、１Ｙ、１Ｍ、１Ｃ、１Ｂｋ  感光体ドラム（像担持体）
２  クリーニング部
４  帯電部（帯電装置）
５、５Ｙ、５Ｍ、５Ｃ、５Ｂｋ  現像部（現像装置）
６、６Ｙ、６Ｍ、６Ｃ、６Ｂｋ  作像部（プロセスカートリッジ）
８  中間転写ユニット
８Ａ  中間転写ベルト
１０  画像形成装置本体
１９  ２次転写バイアスローラ
２０  定着装置
２６  給紙部
５０  現像器（ケーシング）
５１  現像ローラ（現像剤担持体）
５１ａ  現像スリーブ
５２  ドクターブレード（現像剤規制部材）
５３  供給スクリュー（供給用搬送部材）
５４  回収スクリュー（回収用搬送部材）
５５  マグネットローラ
５６  トナー濃度検知センサ
５７  遮蔽部材
５７Ａ  ガイド部
５７Ｂ、６０  第三の連通部
５８、５９：現像剤搬送室
Ｐ１〜Ｐ５：磁極
ａ，ｂ  連通部
【先行技術文献】
【特許文献】
【００７６】
【特許文献１】特開平１１−１７４８１０号公報
【特許文献２】特開平０５−３３３６９１号公報
【特許文献３】特開２００３−３０７９２４号公報
【図１】
0005598311.tif 000002
【図２】
0005598311.tif 000003
【図３】
0005598311.tif 000004
【図４】
0005598311.tif 000005
【図５】
0005598311.tif 000006
【図６】
0005598311.tif 000007
【図７】
0005598311.tif 000008
【図８】
0005598311.tif 000009
【図９】
0005598311.tif 000010
【図１０】
0005598311.tif 000011
【図１１】
0005598311.tif 000012